(57)【特許請求の範囲】
【請求項１】
表示器に表示する情報を入力するための複数のキーの各キーのそれぞれに予め互いに異なる複数の文字が割り当てられており、キーの押下回数により、入力する文字が予め定められた順番で一文字ずつ巡回的に前記表示器に切り替え表示させる装置の文字入力訂正方法において、
前記複数のキーとは異なる訂正キーを押下することにより、前記表示器に表示されている任意の一つの第１の文字を訂正するとき、その第１の文字を入力するために押下した前記複数のキーのうちのキーの種類と押下回数を示すキー入力に分解する第１のステップと、
前記第１のステップによる分解の結果、前記第１の文字が同一キーを複数回押下して入力した文字であるかどうか判定する第２のステップと、
前記第１の文字が同一キーを複数回押下して入力した文字であると判定されたときには、前記第１の文字を入力する際に押下した前記同一キーの押下回数より一つ少ない押下回数で入力される第２の文字と、前記同一キーを一回押下したときに入力される第３の文字の並びに再分割する第３のステップと
を含み、前記第３の文字の位置に新たな文字の入力を可能とすることを特徴とする文字入力訂正方法。
【請求項２】
前記第３の文字を更に訂正するときは、前記同一キーを一回押下したときに入力される前記第３の文字と、前記第１の文字を入力する際に押下した前記同一キーの押下回数より一つ少ない押下回数で入力される前記第２の文字の並びに再分割する第４のステップを更に有し、
前記第１の文字を前記第３の文字及び第２の文字の順に並べ、前記第２の文字の位置に新たな文字の入力を可能とすることを特徴とする請求項１記載の文字入力訂正方法。
【請求項３】
表示器に表示する情報を入力するための複数のキーの各キーのそれぞれに予め互いに異なる複数の文字が割り当てられており、キーの押下回数により、入力する文字が予め定められた順番で一文字ずつ巡回的に前記表示器に切り替え表示させる装置の文字入力訂正方法において、
前記複数のキーとは異なる訂正キーを押下することにより、前記表示器に表示されている任意の一つの第１の文字を訂正するとき、その第１の文字を入力するために押下した前記複数のキーのうちのキーの種類と押下回数を示すキー入力に分解する第１のステップと、
任意の一つの第１の文字を訂正するとき、その第１の文字を入力するために押下したキーの種類と押下回数を示すキー入力に分解する第１のステップと、
前記第１のステップによる分解の結果、前記第１の文字が同一キーを複数回押下した後に別のキーを一回押下して入力した文字であるかどうか判定する第２のステップと、
前記第１の文字が同一キーを複数回押下した後に別のキーを一回押下して入力した文字であると判定されたときには、前記第１の文字を入力する際に押下した前記同一キーの押下回数より一つ少ない押下回数で入力される第２の文字と、前記同一キーを一回押下した後前記別のキーを一回押下したときに入力される第３の文字の並びに再分割する第３のステップと
を含み、前記第３の文字の位置に新たな文字の入力を可能とすることを特徴とする文字入力訂正方法。
【請求項４】
文字、記号及び数字を表示する表示器と、
前記表示器に表示する情報を入力するための複数のキーと、
ひらがな文字入力モード、カタカナ文字入力モード、数字入力モード、英文字入力モード及び記号入力モードのいずれか一つの所望の入力モードを選択するためのモードスイッチと、
現在選択されているモードで前記表示器に前記複数のキーにより押下された文字を表示するとき、前記複数のキーの各キーのそれぞれに予め互いに異なる複数の文字が割り当てられており、キーの押下回数により、入力する文字が予め定められた順番で一文字ずつ巡回的に切り替え表示させる文字入力手段と、
表示されている文字の前後に移動でき、文字の削除、挿入、訂正、入力する位置を指示するカーソルを表示するカーソル表示手段と、
前記表示器に表示されている前記カーソルの位置の文字を訂正するときに押下される訂正キーと、
前記訂正キーの押下により前記カーソルの位置の一つの第１の文字を訂正するとき、その第１の文字を入力するために押下したキーの種類と押下回数を示すキー入力に分解して、前記第１の文字が同一キーを複数回押下して入力した文字であるかどうか判定する判定手段と、
前記判定手段により前記第１の文字が同一キーを複数回押下して入力した文字であると判定されたときには、前記第１の文字を入力する際に押下した前記同一キーの押下回数より一つ少ない押下回数で入力される第２の文字と、前記同一キーを一回押下したときに入力される第３の文字の並びに再分割して表示し、前記カーソルの位置には前記第３の文字を表示させる第１の再分割手段と
を有することを特徴とする携帯端末装置。
【請求項５】
前記第１の再分割手段による前記第３の文字を表示後、更に前記訂正キーが押下されたときは、前記同一キーを一回押下したときに入力される前記第３の文字と、前記第１の文字を入力する際に押下した前記同一キーの押下回数より一つ少ない押下回数で入力される前記第２の文字の並びに再分割する第２の再分割手段を更に有し、前記第１の文字を前記第３の文字及び第２の文字の順に並べ、前記第２の文字の位置に新たな文字の入力を可能とすることを特徴とする請求項４記載の携帯端末装置。
【請求項６】
文字、記号及び数字を表示する表示器と、
前記表示器に表示する情報を入力するための複数のキーと、
ひらがな文字入力モード、カタカナ文字入力モード、数字入力モード、英文字入力モード及び記号入力モードのいずれか一つの所望の入力モードを選択するためのモードスイッチと、
現在選択されているモードで前記表示器に前記複数のキーにより押下された文字を表示するとき、前記複数のキーの各キーのそれぞれに予め互いに異なる複数の文字が割り当てられており、キーの押下回数により、入力する文字が予め定められた順番で一文字ずつ巡回的に切り替え表示させる文字入力手段と、
表示されている文字の前後に移動でき、文字の削除、挿入、訂正、入力する位置を指示するカーソルを表示するカーソル表示手段と、
前記表示器に表示されている前記カーソルの位置の文字を訂正するときに押下される訂正キーと、
前記訂正キーの押下により前記カーソルの位置の一つの第１の文字を訂正するとき、その第１の文字を入力するために押下したキーの種類と押下回数を示すキー入力に分解して、前記第１の文字が同一キーを複数回押下して入力した文字であるかどうか判定する判定手段と、
前記判定手段により前記第１の文字が同一キーを複数回押下した後に別のキーを押下して入力した文字であると判定されたときには、前記第１の文字を入力する際に押下した前記同一キーの押下回数より一つ少ない押下回数で入力される第２の文字と、前記同一キーを一回押下した後前記別のキーを押下したときに入力される第３の文字の並びに再分割して表示し、前記カーソルの位置には前記第３の文字を表示させる再分割手段と
を有することを特徴とする携帯端末装置。
【発明の詳細な説明】
【０００１】
【発明の属する技術分野】
本発明は文字入力訂正方法及び携帯端末装置に係り、特に複数のキーを用いて文字を入力する際に入力した文字を訂正する文字入力訂正方法及びそれを用いた携帯端末装置に関する。
【０００２】
【従来の技術】
携帯電話機などの携帯端末装置では、数字、英文字、カタカナ文字、漢字、記号などの単独又は混在した文字列である各種の文字情報を、通常の機能キーの他に、数字キーや文字入力のためのキーを用いて表示部に表示することが行われる。所望の文字情報を入力するためには、文字入力のためのキーの数が多いほうがよい。
【０００３】
しかし、携帯端末装置では小型、軽量化が要求されるため、上記のキーの数を少なくすることが望ましく、そのため、既存の機能キー及び数字キー、記号キーにソフトウェア上で定義し、漢字入力のための専用キーを不要にした携帯端末装置が従来より知られている（特開平１０−１３５２３号公報：発明の名称「携帯電話機」）。
【０００４】
この従来の携帯端末装置は、数字入力手段、英文字入力手段、カタカナ文字入力手段、記号入力手段及びひらがな文字入力手段を設け、既存のテンキー及び機能キーに対しモード選択、漢字変換、漢字検索、登録機能をソフトウェアで定義し、テンキーの個々に「あ行」から「わ行」を割り当て、テンキーの押下回数により各行のひらがな１文字を入力し、選択入力されたひらがな１文字を漢字変換機能キーにより漢字変換し表示部に表示することを特徴とする。
【０００５】
この従来の携帯端末装置では、表示されている文字の前後に移動して、文字の削除、挿入を可能とするカーソルを備えており、入力した文字を訂正する場合、そのカーソル位置の文字を削除して新たに入力し直す第１の訂正方法か、同じ行のひらがな文字は同じキーの押下を継続すると巡回することから、一巡後に入力を継続することで誤りを訂正する第２の訂正方法のいずれかによることとなる。
【０００６】
従って、例えば”すずき”と入力したい場合、”す”は「さ行」がテンキーの「３」に割り当てられているので、そのキーを３回押下すれば入力でき、”き”は「か行」がテンキーの「２」に割り当てらているので、そのキーを２回押下すれば入力できるが、最初の”す”をテンキーの「３」を３回押下すべきところ誤って４回押下してしまったために、”せ”が入力されてしまい、これを”す”に訂正する場合、上記の第１の訂正方法では図２（ｃ）に、上記の第２の訂正方法では図２（ｄ）に示すキー入力操作を必要とする。
【０００７】
すなわち、第１の訂正方法では、図２（ｃ）に示すように、「３３３３」とテンキーの「３」を４回押下して入力された”せ”をクリアキーを押下してクリアし、その後１文字目の入力からやり直し、以下、「３３３→３３３＃２２」の順で各キーを押下することにより所望の文字”すずき”の入力ができる。なお、「→」は右向き矢印のカーソルキーの押下を、「＃」は濁点入力を割り当てられた記号キー「＃」の押下を意味する。
【０００８】
また、第２の訂正方法では、図２（ｄ）に示すように、「３３３３」とテンキーの「３」を４回押下して入力された”せ”を”す”に訂正するために、更にテンキーの「３」を４回押下することで”す”を入力し、以下、「→３３３＃２２」の順で各キーを押下することにより所望の文字”すずき”の入力ができる。
【０００９】
【発明が解決しようとする課題】
しかるに、上記の従来の携帯端末装置では、上記の第１及び第２訂正方法のいずれの場合も、図２（ｃ）及び（ｄ）に示すように、１５回のキー入力操作が必要であり、文字入力訂正作業が煩雑である。
【００１０】
本発明は以上の点に鑑みなされたもので、少ないキー操作回数で入力文字を訂正し得る文字入力訂正方法及び携帯端末装置を提供することを目的とする。
【００１１】
【課題を解決するための手段】
上記の目的を達成するため、本発明の文字入力訂正方法は、表示器に表示する情報を入力するための複数のキーの各キーのそれぞれに予め互いに異なる複数の文字が割り当てられており、キーの押下回数により、入力する文字が予め定められた順番で一文字ずつ巡回的に表示器に切り替え表示させる装置の文字入力訂正方法において、複数のキーとは異なる訂正キーを押下することにより、表示器に表示されている任意の一つの第１の文字を訂正するとき、その第１の文字を入力するために押下した複数のキーのうちのキーの種類と押下回数を示すキー入力に分解する第１のステップと、第１のステップによる分解の結果、第１の文字が同一キーを複数回押下して入力した文字であるかどうか判定する第２のステップと、第１の文字が同一キーを複数回押下して入力した文字であると判定されたときには、第１の文字を入力する際に押下した同一キーの押下回数より一つ少ない押下回数で入力される第２の文字と、同一キーを一回押下したときに入力される第３の文字の並びに再分割する第３のステップとを含み、第３の文字の位置に新たな文字の入力を可能とすることを特徴とする。
【００１２】
この発明では、訂正しようとする第１の文字が同一キーを複数回押下して入力した文字であるときには、その押下回数より一つ少ない押下回数で入力される第２の文字と、同一キーを一回押下したときに入力される第３の文字の並びに再分割するため、本来入力するべき文字を入力するときに必要な押下回数よりも一回多く同一キーを押下したために、第１の文字が入力されてしまった文字入力誤りを、本来入力するべき第２の文字と、そのキーを押下して入力される最初の順番の第３の文字の並びに直ちに訂正することができる。
【００１３】
また、本発明は、上記の目的を達成するため、第３の文字を更に訂正するときは、同一キーを一回押下したときに入力される第３の文字と、第１の文字を入力する際に押下した同一キーの押下回数より一つ少ない押下回数で入力される第２の文字の並びに再分割する第４のステップを更に有し、第１の文字を第３の文字及び第２の文字の順に並べ、第２の文字の位置に新たな文字の入力を可能とすることを特徴とする。この発明では、本来入力するべき文字が第３の文字であるときに、第３の文字に続いて第２の文字を再分割して表示できる。
【００１４】
また、上記の目的を達成するため、本発明方法は、表示器に表示する情報を入力するための複数のキーの各キーのそれぞれに予め互いに異なる複数の文字が割り当てられており、キーの押下回数により、入力する文字が予め定められた順番で一文字ずつ巡回的に表示器に切り替え表示させる装置の文字入力訂正方法において、複数のキーとは異なる訂正キーを押下することにより、表示器に表示されている任意の一つの第１の文字を訂正するとき、その第１の文字を入力するために押下した複数のキーのうちのキーの種類と押下回数を示すキー入力に分解する第１のステップと、第１のステップによる分解の結果、第１の文字が同一キーを複数回押下した後に別のキーを一回押下して入力した文字であるかどうか判定する第２のステップと、第１の文字が同一キーを複数回押下した後に別のキーを一回押下して入力した文字であると判定されたときには、第１の文字を入力する際に押下した同一キーの押下回数より一つ少ない押下回数で入力される第２の文字と、同一キーを一回押下した後別のキーを一回押下したときに入力される第３の文字の並びに再分割する第３のステップとを含み、第３の文字の位置に新たな文字の入力を可能とすることを特徴とする。
【００１５】
この発明では、訂正しようとする第１の文字が同一キーを複数回押下した後に別のキーを一回押下して入力した文字であるときには、第１の文字を入力する際に必要なキーの押下回数より一つ少ない押下回数で入力される第２の文字と、上記の同一キーを一回押下した後別のキーを一回押下したときに入力される第３の文字の並びに再分割するため、本来入力するべき文字を入力するときに必要なキーの押下回数より一回多く、更に別のキーを一回押下したために、第１の文字が入力されてしまった文字入力誤りを、本来入力するべき第２の文字と、そのキーを一回押下してから別のキーを一回押下して入力される第３の文字の並びに直ちに訂正することができる。
【００１６】
また、本発明装置は、上記の目的を達成するため、文字、記号及び数字を表示する表示器と、表示器に表示する情報を入力するための複数のキーと、ひらがな文字入力モード、カタカナ文字入力モード、数字入力モード、英文字入力モード及び記号入力モードのいずれか一つの所望の入力モードを選択するためのモードスイッチと、現在選択されているモードで表示器に複数のキーにより押下された文字を表示するとき、複数のキーの各キーのそれぞれに予め互いに異なる複数の文字が割り当てられており、キーの押下回数により、入力する文字が予め定められた順番で一文字ずつ巡回的に切り替え表示させる文字入力手段と、表示されている文字の前後に移動でき、文字の削除、挿入、訂正、入力する位置を指示するカーソルを表示するカーソル表示手段と、表示器に表示されているカーソルの位置の文字を訂正するときに押下される訂正キーと、訂正キーの押下によりカーソルの位置の一つの第１の文字を訂正するとき、その第１の文字を入力するために押下したキーの種類と押下回数を示すキー入力に分解して、第１の文字が同一キーを複数回押下して入力した文字であるかどうか判定する判定手段と、判定手段により第１の文字が同一キーを複数回押下して入力した文字であると判定されたときには、第１の文字を入力する際に押下した同一キーの押下回数より一つ少ない押下回数で入力される第２の文字と、同一キーを一回押下したときに入力される第３の文字の並びに再分割して表示し、カーソルの位置には第３の文字を表示させる第１の再分割手段とを有する構成としたものである。
【００１７】
また、上記の目的を達成するため、本発明装置は、上記の判定手段を、訂正キーの押下によりカーソルの位置の一つの第１の文字を訂正するとき、その第１の文字を入力するために押下したキーの種類と押下回数を示すキー入力に分解して、第１の文字が同一キーを複数回押下して入力した文字であるかどうか判定し、上記の再分割手段を判定手段により第１の文字が同一キーを複数回押下した後に別のキーを押下して入力した文字であると判定されたときには、第１の文字を入力する際に押下した同一キーの押下回数より一つ少ない押下回数で入力される第２の文字と、同一キーを一回押下した後別のキーを押下したときに入力される第３の文字の並びに再分割して表示し、カーソルの位置には第３の文字を表示させる構成としたものである。
【００１８】
【発明の実施の形態】
次に、本発明の実施の形態について図面と共に説明する。図１は本発明になる携帯端末装置の一実施の形態の外観正面図、図２は本発明の一実施の形態のキー入力操作と従来の一例のキー入力操作を対比して説明する図、図３は本発明になる文字入力訂正方法の一実施の形態のフローチャート、図４及び図５はそれぞれ図３、図４の要部の処理説明用フローチャートを示す。
【００１９】
図１において、本発明の携帯端末装置の一例としての携帯電話機１００は、入力した文字を表示する表示器１０１と、表示器１０１に表示されるカーソルの移動方向を上、下、左及び右の各方向のいずれかに指示するためのカーソルキー１０２と、オンフックキー１０３と、入力文字を訂正するときに押下される訂正キー１０４と、オフフックキー１０５と、決定キー１０６と、文字を入力するときに押下される文字キー１０７と、入力文字を削除するクリアキー１０８と、「０」から「９」までの数字と記号「＊」及び「＃」を入力するための記号キーなどからなるテンキー（数字キー）１０９などの各種キーをパネル正面に有している。また、携帯電話機１００は、受話器１１０及び送話器１１１を筐体正面の上部と下部にそれぞれ有している。
【００２０】
上記の数字キー１０９のうち、「１」〜「９」の数字キーは、個々に「あ行」から「ら行」に割り当てられ、また、「０」の数字キーは「わ行」から「ん」までの文字が割り当てられ、各々キーの押下回数に応じて各行の対応するひらがな又はカタカナ１文字を入力できるようにソフトウェアにより定義されている。更に、「２」〜「０」の数字キーには英文字も、図１に示すように割り当てられている。
【００２１】
次に、本実施の形態の動作について図１、図３〜図５と共に説明する。まず、入力処理全体の動作としては、図１に示した各種のキーのうち、いずれかのキー入力があったかどうか判断し（図３のステップ３０１）、キー入力があった場合、それが図１に示した文字キー１０７の押下によるものであるかどうか判定される（図３のステップ３０２）。この文字キー１０７は、入力モードを切り替えるためのキーで、１回押下する毎に、数字入力モード、英文字入力モード、ひらがな文字入力モード、カタカナ文字入力モード、記号入力モードに順次に切り替わり、記号入力モードの状態において更に１回文字キー１０７を押下すると、数字入力モードに戻るような巡回的なモード切り替えが行われる。文字キー１０７が押下されないときには、前回の文字入力モード状態が保持される。
【００２２】
従って、文字キー１０７が押下された場合は、文字の入力モードの切り替えが行われ（図３のステップ３０３）、文字キー１０７以外のカーソルキー１０２、数字キー１０９が押下されたときには、現在の文字入力モードが何であるか判断し（図３のステップ３０４、３０６、３０８、３１０、３１２）、その時の入力モードに応じた文字入力処理が行われる（図３のステップ３０５、３０７、３０９、３１１、３１３）。入力が終了するまで上記の動作が繰り返される（図３のステップ３１４）。
【００２３】
本実施の形態は、ひらがな文字入力処理あるいはカタカナ文字入力モードに特徴があり、両者は実質的には同じ処理であるので、次に、代表して図３のステップ３０９のひらがな文字入力処理について更に詳細に説明する。図１に示したように、「１」、「２」、「３」、..、「９」、「０」の各数字キーは、「あ行」、「か行」、「さ行」、..、「ら行」、「わ行」に割り当てられており、ひらがな文字入力処理では、まず、数字キーのどれが押されたかが判定され（図４のステップ４０１、４０３、４０５..、４０７）、押下された数字キーに対応した行の入力処理が行われる（図４のステップ４０２、４０４、４０６..、４０８）。
【００２４】
各行の入力処理では、まず、キー入力が保存していた前回キー入力と異なるかどうかを判断し、異なる場合には行の先頭文字（例えば、「か行」の場合は、”か”）を、携帯電話機１００内部に設けられているバッファに追加し、カーソル位置を追加文字に移動する。
【００２５】
例えば、文字入力開始直後に数字キー１０９のうち数字「３」のキーを押下したものとすると、図４のステップ４０５の判断処理で、さ行入力処理が実行される（図４のステップ４０６）。ここで、前回のキー入力はなく、直前のキー入力とは異なるため、バッファに「さ行」の先頭の文字”さ”が追加される。
【００２６】
前回のキー入力と同一のキー入力であった場合は、巡回的に文字入力可能とするために、カーソル位置の文字に対して変換処理を行う。例えば、カーソル位置の文字が”さ”の場合、数字の「３」キーが押下されると、図４のステップ４０５の判断処理により、さ行入力処理が実行される（図４のステップ４０６）。ここで、直前の「３」キー押下によりカーソル位置の文字は”さ”であり、前回と同じキー入力であるため、バッファ中の”さ”が”し”に変換される。なお、バッファの中のこの文字は、表示器１０１にカーソル位置にある文字として表示される。
【００２７】
更に、「３」キーを押下し続け、バッファの中の文字、すなわち、カーソル位置にある文字か゛”そ”であり、次も「３」キーを押下した場合は、バッファの中の文字（カーソル位置の文字）は、「さ行」の先頭の文字”さ”に戻る。このように、同じ数字キーを押下し続けると、同じ行の文字が巡回的に切り替わる。
【００２８】
また、カーソルキー１０２の押下が検出されると（図４のステップ４０９）、カーソル移動処理が行われ（図４のステップ４１０）、カーソルキー１０２の移動方向にカーソル位置が移動する表示更新が行われる（図４のステップ４１５）。これにより、文字表示位置及び文字入力位置を変更できる。また、図１のクリアキー１０８の押下が検出されると（図４のステップ４１１）、表示クリア処理が行われ（図４のステップ４１２）、カーソル位置の文字が消去される表示更新が行われる（図４のステップ４１５）。
【００２９】
以上の操作を入力終了まで繰り返す事により、所望の文字を入力することができる。以上は、従来の文字入力方法と同じであるが、本実施の形態は、図１の訂正キー１０４を押下したことが検出されたときに（図４のステップ４１３）、行われるひらがな文字訂正処理（図４のステップ４１４）に特徴がある。
【００３０】
このひらがな文字訂正処理について図５のフローチャートと共に説明する。ひらがな文字訂正処理では、まず、カーソル位置の文字をバッファより取り出し、キー入力に分解する（図５のステップ５０１）。ここで、バッファに文字を保存せずに、直接キー入力を保存しておく方式も可能であり、その場合は、キー入力への分解処理は不要となる。
【００３１】
続いて、分解したキー入力が再分割可能かどうか判断し（図５のステップ５０２）、可能であれば再分割処理を行う（図５のステップ５０３）。ここで、再分割処理とは、文字をキー入力に分解した結果が、同一のキー入力の２つ以上の並びである場合とする。例えば、”う”（「１１１」）などである。一方、”ぎ”（「２２＃」）のような同一のキー入力の並びではない場合は、再分割可能ではないとする。ただし、上記の「２２＃」のうち、前半部分の同一キー入力の並び「２２」を再分割可能としてもよい。この場合は、「２２＃」のキー入力を「２」と「２＃」とに再分割し、結果として、”ぎ”を”かが”に再分割する。再分割処理が行われると、カーソル位置は再分割後の最後の文字位置に移動する（図５のステップ５０４）。
【００３２】
なお、保存しておいた直前のキー入力を参照し、訂正キー１０４が連続で押下された場合に、カーソル位置の直前の文字を含めて再分割処理を行ってもよい。例えば、「１」キーが３回連続して押下された場合（これを「１１１」と記す）、図１の表示器１０１にはカーソル位置に”う”が表示されているが、訂正キー１０４を１回押下すると、「１１」と「１」とに再分割処理される（図５のステップ５０１〜５０３）。これにより、表示は”い”と”あ”となり、カーソル位置は”あ”に移動する（図５のステップ５０４）。
【００３３】
続けて、訂正キー１０４を更に１回押下すると、カーソル位置の文字”あ”（「１」）は再分割可能ではないので、その直前の文字”い”（「１１」）と併せて「１１→１」とキー入力に分解し、再分割処理として区切り文字の「→」を右に移動させて「１→１１」と変換することで、”いあ”を”あい”と再分割することで、連続的に訂正可能としてもよい。
【００３４】
次に、本実施の形態のひらがな文字訂正処理（図４のステップ４１４、図５のステップ５０１〜５０４）により、従来に比べてキー入力回数が低減されることについて説明する。文字入力モードにて”すずき”と入力する場合、”す”は「さ行」が数字の「３」キーに割り当てられているので、その「３」キーを３回押下すれば入力でき、”き”は「か行」が数字の「２」キーに割り当てらているので、その「２」キーを２回押下すれば入力できるので、文字の入力誤りが無い場合は、図２（ａ）に示すように、「３３３→３３３＃２２」の順でキーを１０回押下することで”すずき”の入力ができる。
【００３５】
ここで、最初の”す”を入力するために「３」キーを３回押下すべきところ誤って４回押下してしまったために、”せ”が入力されてしまい、これを”す”に訂正する場合、本実施の形態では、カーソル位置の文字”せ”を訂正するために、訂正キー１０４を１回押下する。
【００３６】
これにより、入力されたバッファ内のキーデータは、訂正キー１０４の押下前は図６（ａ）に示すように、”せ”であるが、上記の訂正キー１０４の押下により、図６（ｂ）に示すように”せ”のキーデータ「３３３３」が「３３３」と「３」とに再分割され、その結果「３３３→３」と入力された場合と等しくすることで、図６（ｃ）に示すように、バッファ内のキーデータは”す”と”さ”に分割され、カーソル位置は”さ”の位置に移動する。
【００３７】
従って、カーソル位置の文字”せ”を訂正するために、訂正キー１０４を１回押下すると、図２（ｂ）に★で示すように、”す”と”さ”に変換される。以後、図２（ｂ）に示すように、「３３＃２２」の順でキーを押下することにより、入力しようとした文字”すずき”の入力ができる。
【００３８】
この本実施の形態のキー押下回数は、図２（ｂ）に示すように、図２（ａ）に示した入力誤りが無い場合と同じ１０回であり、これは従来の図２（ｃ）及び（ｄ）に示した文字訂正方法のキー押下回数１５回に比べて大幅に低減することができる。また、本実施の形態では、文字入力自体は従来と同じ方法であるので、特別なモードを必要としないという特長がある。
【００３９】
なお、本発明は上記の実施の形態に限定されるものではなく、例えばカタカナ文字は勿論のこと、英文字についても本発明を同様に適用できる。また、本発明は携帯電話機以外のＰＨＳ、電子手帳、携帯型情報端末等他のすべての携帯端末装置に適用可能である。
【００４０】
【発明の効果】
以上説明したように、本発明によれば、本来入力するべき文字を入力するときに必要な押下回数よりも一回多く同一キーを押下したために、第１の文字が入力されてしまった文字入力誤りを、本来入力するべき第２の文字と、そのキーを押下して入力される最初の順番の第３の文字の並びに直ちに訂正できるようにしたため、あるいは、本来入力するべき文字を入力するときに必要なキーの押下回数より一回多く、更に別のキーを一回押下したために、第１の文字が入力されてしまった文字入力誤りを、本来入力するべき第２の文字と、そのキーを一回押下してから別のキーを一回押下して入力される第３の文字の並びに直ちに訂正できるようにしたため、正しい文字入力時と同じキー押下回数で文字訂正ができ、従来に比べて文字入力の誤りを訂正する時のキー押下回数を大幅に低減できる。
【００４１】
また、本発明によれば、連続的に文字訂正することができるため、文字訂正の際のキー押下回数を低減することができる。更に、本発明によれば、文字入力モード自体は従来と同じ方法でよいため、特別なモードを必要としない。
【図面の簡単な説明】
【図１】本発明になる携帯端末装置の一実施の形態の外観正面図である。
【図２】本発明の一実施の形態のキー入力操作と従来の一例のキー入力操作を対比して説明する図である。
【図３】本発明になる文字入力訂正方法の一実施の形態のフローチャートである。
【図４】図３中のひらがな文字入力処理の一実施の形態のフローチャートである。図である。
【図５】図４中のひらがな文字訂正処理の一実施の形態のフローチャートである。
【図６】図４中の再分割処理の一例の説明図である。
【符号の説明】
１００  携帯電話機
１０１  表示器
１０２  カーソルキー
１０４  訂正キー
１０７  文字キー
１０８  クリアキー
１０９  数字キー
３０９  ひらがな文字入力処理ステップ
４１４  ひらがな文字訂正処理ステップ
５０３  再分割処理ステップ
【図１】
0004258981.tif 000002
【図２】
0004258981.tif 000003
【図３】
0004258981.tif 000004
【図４】
0004258981.tif 000005
【図５】
0004258981.tif 000006
【図６】
0004258981.tif 000007